(57)【要約】  【課題】  カラー陰極線管のグルーピング補正を、表示画面の各部に対応させてできるようにする。  【解決手段】  垂直偏向周期に同期した垂直グルーピング補正信号生成回路４１、水平偏向周期に同期した水平グルーピング補正信号生成回路４２、及び直流グルーピング補正信号生成回路４３を備え、調整モードにおいて、カラー陰極線管１０に白単色の映像信号を表示させ、表示品位が芳しくない表示部位を特定して、その部位に対応するように各グルーピング補正信号を選択して、そのレベルを調整することでグルーピング現象の発生を抑制するようにした。  【選択図】 図３
2005079862.tif 000002
【特許請求の範囲】
【請求項１】
光３原色に対応した電子ビームを発射する３本の電子銃及びこの電子銃から発せられる電子ビームが照射されることで発光する前記光３原色に対応した蛍光体が塗布された表示面を有するカラー陰極線管と、
前記電子ビームを磁界によって偏向すべく、前記カラー陰極線管に配設された偏向ヨークと、
前記カラー陰極線管の電子銃と前記偏向ヨークとの間の位置において当該カラー陰極線管に配設されたグルーピング補正巻線と、
前記偏向ヨークの垂直偏向周期に同期した垂直グルーピング補正信号を生成する垂直グルーピング補正信号生成手段と、
前記偏向ヨークの水平偏向周期に同期した水平グルーピング補正信号を生成する水平グルーピング補正信号生成手段と、
直流グルーピング補正信号を生成する直流グルーピング補正信号生成手段と、
前記垂直グルーピング補正信号、水平グルーピング補正信号及び直流グルーピング補正信号のいずれか一つの信号、または、前記３種の補正信号の中のいずれか２信号、もしくは、全ての補正信号を、それぞれレベル調整可能に前記グルーピング補正巻線に流す補正制御手段と、
を具備したことを特徴とするカラー陰極線管のグルーピング補正装置。
【請求項２】
光３原色に対応した電子ビームを発射する３本の電子銃及びこの電子銃から発せられる電子ビームが照射されることで発光する光３原色に対応した蛍光体が塗布された表示面を有するカラー陰極線管と、
前記電子ビームを磁界によって偏向すべく、前記カラー陰極線管に配設された偏向ヨークと、
前記カラー陰極線管に供給され、前記表示面において表示される映像信号を提供する映像信号源と、
この映像信号の輝度信号レベルを検出する輝度信号レベル検出手段と、
前記カラー陰極線管の電子銃と前記偏向ヨークとの間の位置において当該カラー陰極線管に配設されたグルーピング補正巻線と、
前記偏向ヨークの垂直偏向周期に同期した垂直グルーピング補正信号を生成する垂直グルーピング補正信号生成手段と、
前記偏向ヨークの水平偏向周期に同期した水平グルーピング補正信号を生成する水平グルーピング補正信号生成手段と、
直流グルーピング補正信号を生成する直流グルーピング補正信号生成手段と、
前記輝度信号レベル検出手段での検出結果に基づき、前記垂直グルーピング補正信号、水平グルーピング補正信号及び直流グルーピング補正信号のいずれか一つの補正信号、または、前記３種の補正信号の中のいずれか２信号、もしくは、全ての補正信号を、それぞれレベル調整可能に前記グルーピング補正巻線に流す補正制御手段と、
を具備したことを特徴とするカラー陰極線管のグルーピング補正装置。
【請求項３】
前記カラー陰極線管はシャドウマスクを備えると共に、前記電子銃がインライン型に構成されており、前記グルーピング補正巻線に流す補正電流によって、前記電子銃から発射される電子ビームの前記シャドウマスクに対する入射角度を調整するものであることを特徴とする請求項１または２のいずれかに記載のカラー陰極線管のグルーピング補正装置。
【請求項４】
さらに前記カラー陰極線管の表示画面に白単色の映像を表示させる調整モードを設定する調整モード設定手段を含み、前記補正制御手段は、当該調整モードにおいて前記各補正信号のレベルを調整し、調整モードが解除された状態で、前記調整されたレベルの各補正信号を前記グルーピング補正巻線に供給するものであることを特徴とする請求項１乃至３のいずれかに記載のカラー陰極線管のグルーピング補正装置。
【発明の詳細な説明】
【技術分野】
【０００１】
この発明は、カラー陰極線管のグルーピング現象に基づく表示映像の品位低下を抑制するためのグルーピング補正装置に関し、特にカラー陰極線管の表示画面の各部位毎にグルーピング補正を可能にしたグルーピング補正装置に関する。
【背景技術】
【０００２】
インライン型電子銃を備えたカラー陰極線管においては、中央の緑（Ｇ）電子銃から発射される電子ビームに対して、両側に位置する赤（Ｒ）電子銃及び青（Ｂ）電子銃から照射される電子ビームがそれぞれ、中央（Ｇ）側に寄ってしまう、いわゆるグルーピングという現象が発生することが知られている。
【０００３】
すなわち、このグルーピング現象によって、図９に示すように、Ｒ，Ｂ電子ビームがカラー陰極線管のＲ，Ｂ蛍光体に対してＧ蛍光体側にずれて照射されるようになり、このビームのランディングの横方向のズレによって、ＷＵ（White Uniformity：白均一性）、ＰＤ（Purity Drift：色純度変移）、ピュリティに余裕が持てなくなり、表示される映像品位が低下するという問題を有している。
【０００４】
通常は、カラー陰極線管の設計時に、このグルーピング現象の発生を予め想定して、映像表示品位を低下させないように対策が講じられるが、カラー陰極線管の製造時に発生する精度誤差等のために、その対策が充分に機能しなくなり、依然としてグルーピング現象に基づく映像表示品位が低下してしまうということがあった。
【０００５】
さらに、実際にカラー陰極線管をテレビジョン受信機に組み込んだ場合、受信機の設計条件と、カラー陰極線管に対して講じられたグルーピング対策がマッチングしないこともあり、その場合にも、表示品位を良好なものにすることができないという問題が発生してしまう。
【０００６】
従来、カラー陰極線管のグルーピング現象によって映像表示品位が低下するのを抑制する提案がいくつかなされている（例えば特許文献１）が、表示画面の各部位毎にグルーピング現象を簡単に抑制するようにした提案はなされていない。
【特許文献１】特開２００３−１１６１４９号公報。
【発明の開示】
【発明が解決しようとする課題】
【０００７】
以上のように、従来、表示画面の各部位毎にグルーピング補正を行なうという、いわゆるダイナミックなグルーピング補正を行なうことができるグルーピング補正装置がなく、その実現が強く要望されている。
【０００８】
本発明は、以上の点に考慮してなされたものであり、垂直、水平、直流のグルーピング補正信号をそれぞれ生成し、それらを適応的に組合わせてグルーピング補正巻線に流すことでグルーピングをダインミックに補正することを可能にしたカラー陰極線管のグルーピング補正装置を提供することを目的とする。
【課題を解決するための手段】
【０００９】
本発明のカラー陰極線管のグルーピング補正装置は、光３原色に対応した電子ビームを発射する３本の電子銃及びこの電子銃から発せられる電子ビームが照射されることで発光する前記光３原色に対応した蛍光体が塗布された表示面を有するカラー陰極線管と、前記電子ビームを磁界によって偏向すべく、前記カラー陰極線管に配設された偏向ヨークと、前記カラー陰極線管の電子銃と前記偏向ヨークとの間の位置において当該カラー陰極線管に配設されたグルーピング補正巻線と、前記偏向ヨークの垂直偏向周期に同期した垂直グルーピング補正信号を生成する垂直グルーピング補正信号生成手段と、前記偏向ヨークの水平偏向周期に同期した水平グルーピング補正信号を生成する水平グルーピング補正信号生成手段と、直流グルーピング補正信号を生成する直流グルーピング補正信号生成手段と、前記垂直グルーピング補正信号、水平グルーピング補正信号及び直流グルーピング補正信号のいずれ一つの信号、または、前記３種の補正信号の中のいずれか２信号、もしくは、全ての補正信号を、それぞれレベル調整可能に前記グルーピング補正巻線に流す補正制御手段と、を具備したことを特徴とする。
【００１０】
本発明のカラー陰極線管のグルーピング補正装置は、光３原色に対応した電子ビームを発射する３本の電子銃及びこの電子銃から発せられる電子ビームが照射されることで発光する光３原色に対応した蛍光体が塗布された表示面を有するカラー陰極線管と、前記電子ビームを磁界によって偏向すべく、前記カラー陰極線管に配設された偏向ヨークと、前記カラー陰極線管に供給され、前記表示面において表示される映像を提供する映像信号源と、この映像信号の輝度信号レベルを検出する輝度信号レベル検出手段と、前記カラー陰極線管の電子銃と前記偏向ヨークとの間の位置において当該カラー陰極線管に配設されたグルーピング補正巻線と、前記偏向ヨークの垂直偏向周期に同期した垂直グルーピング補正信号を生成する垂直グルーピング補正信号生成手段と、前記偏向ヨークの水平偏向周期に同期した水平グルーピング補正信号を生成する水平グルーピング補正信号生成手段と、直流グルーピング補正信号を生成する直流グルーピング補正信号生成手段と、前記輝度信号レベル検出手段での検出結果に基づき、前記垂直グルーピング補正信号、水平グルーピング補正信号及び直流グルーピング補正信号のいずれか一つの信号、または、前記３種の補正信号の中のいずれか２信号、もしくは、全ての補正信号を、それぞれレベル調整可能に前記グルーピング補正巻線に流す補正制御手段と、を具備したことを特徴とする。
【発明の効果】
【００１１】
本発明によれば、表示画面の表示品位が芳しくない部位毎に、各グルーピング補正信号を適応的に選択して、そのレベルを調整して、グルーピング補正巻線に供給することにより、その部位のグルーピング現象を的確に抑制することができるようになるものである。
【発明を実施するための最良の形態】
【００１２】
以下、この発明の実施の形態を図面を参照しながら説明する。図１は、本発明のグルーピング補正装置を構成するグルーピング補正巻線が搭載されたカラー陰極線管を側面方向から見た図である。
【００１３】
図１において、カラー陰極線管１０は、映像表示面１１の内面に光３原色に対応した蛍光体１２が塗布されている。また、蛍光体１２が塗布された面に対向するようにシャドウマスク１３が配設されている。また、カラー陰極線管１０のネック部１４内には、インライン型の電子銃１５が配設されている。
【００１４】
さらに、カラー陰極線管１０のネック部１４から漏斗状のファンネル部１６にかけて位置するように偏向ヨーク１７が設けられている。偏向ヨーク１７は、ファンネル部１６側の鍔部１７ａと、ネック部１４側の鍔部１７ｂが形成されたセパレータを有し、このセパレータによって、例えば図示しない鞍型に巻回された水平偏向コイルと、図示しないコアにトロイダル巻にされた垂直偏向コイルを保持している。
【００１５】
また、カラー線管線管１０のネック部１４には、ピュリティ・コンバーゼンス・マグネット（ＰＣＭ）１８と、スタティック・コンバーゼンス調整用のマグネット１９が配設されている。
【００１６】
さらに、偏向ヨーク１７のネック部１４側鍔部１７ｂには、本発明の重要な構成要素であるグルーピング補正巻線２０が設けられている。
【００１７】
図２は、図１のカラー陰極線管１０をネック部１４側から見た状態を模式的に示すものである。グルーピング補正巻線２０は、それぞれコアに巻回された第１の巻線部２０ａと第２の巻線部２０ｂで構成され、第１の巻線部２０ａと第２の巻線部２０ｂは、直列に接続されている。
【００１８】
そのように構成されたグルーピング補正巻線２０に対して、グルーピング補正回路２１が接続され、グルーピング補正電流が供給されることで発生する磁界２２ａ，２２ｂによって磁界グルーピング補正が実行されるものであるが詳細は後述する。
【００１９】
本発明は、以上のように構成されたグルーピング補正巻線２０に対して、いかに補正電流を供給するかという点をポイントとしており、以下、２つの実施例に分けて詳細に説明する。
【実施例１】
【００２０】
図３は、本発明のグルーピング補正装置を概略的に示す回路ブロック図である。図３において、入力端子３１には、例えばベースバンドのアナログ映像信号が供給される。この映像信号は、例えば図示しないチューナによって受信された放送信号を復調して得たものであるか、あるいは、外部入力端子から供給される外部テレビジョン信号源からの映像信号である。
【００２１】
入力端子３１は、映像信号処理回路３２に接続され、ここで、所定の処理を施されてカラー陰極線線管１０に供給される。また、入力端子３１は、同期分離回路３３に接続され、ここで、入力された映像信号から同期信号が分離抽出され、垂直同期信号は、垂直偏向回路３４に供給され、水平同期信号は、水平偏向回路３５に供給される。
【００２２】
垂直偏向回路３４と水平偏向回路３５は、供給される同期信号に基づいて、鋸歯状の偏向信号を生成して、カラー陰極線管１０の偏向ヨーク１７に供給する。また、水平偏向回路３５は、高圧回路３６に接続され、高圧回路３６で水平の帰線期間に発生する逆起電圧に基づく高電圧を生成して、カラー陰極線管１０にアノード電圧等として供給する。
【００２３】
さらに、垂直偏向回路３４、水平偏向回路３５は、グルーピング補正回路３７に接続される。グルーピング補正回路３７は、垂直偏向回路３４と水平偏向回路３５から鋸歯状の偏向信号を受けて、それに基づいて、垂直偏向周期及び水平偏向周期に対応したグルーピング補正信号を生成して出力すると共に、それら垂直及び水平グルーピング補正信号のベースとなる直流信号を生成して出力する。
【００２４】
すなわち、垂直及び水平グルーピング補正信号は、図２に示すように、基本的に、グルーピング補正巻線２０を一方向に流れるように供給されるもので、それによって発生される磁界２２ａ，２２ｂによって、電子ビームに対して中心に向かう方向への力が付与されるものである。直流のグルーピング補正信号は、グルーピング補正巻線２０に流れる電流の方向を特定する働きを有する。垂直及び水平グルーピング補正信号は、直流グルーピング補正信号に重畳されて流れることになる。
【００２５】
グルーピング補正回路３７には、制御回路３８が接続されており、グルーピング補正回路３７は、制御回路３８からの制御信号に基づいて、垂直グルーピング補正信号、水平グルーピング補正信号及び直流グルーピング補正信号を適応的に組合わせてグルーピング補正巻線２０に供給するように動作する。
【００２６】
制御回路３８は、例えば外部から供給される信号に基づいて、グルーピング補正回路３７を制御する信号を出力する。すなわち、グルーピング補正は、例えばテレビジョン受信機の製造過程で実行されるのが一般であり、補正を行なう作業者は、画面を見ながら制御部３８に対して補正のための信号を送ることになる。グルーピング補正作業は、例えば、映像信号として白単色の信号を適用してこれに基づく表示画面を見ながら行なうものであり、この目的のため、映像信号処理回路３２は、制御回路３８からの制御信号によって、グルーピング調整モードに切換えられ、白単色の映像信号を出力するように構成されている。
【００２７】
図４は、グルーピング補正回路３７の内部の構成をさらに具体的に示した回路ブロック図である。すなわち、グルーピング補正回路３７は、垂直偏向回路３４からの鋸歯状波信号から垂直グルーピング補正信号を生成する垂直グルーピング補正信号生成回路４１と、水平偏向回路３５からの鋸歯状波信号から水平グルーピング補正信号を生成する水平グルーピング補正信号生成回路４２と、直流グルーピング補正信号を生成する直流グルーピング補正信号生成回路４３でなる。なお、図４において、端子４４は垂直同期信号の入力端子であり、端子４５は水平同期信号の入力端子である。
【００２８】
図５にグルーピング補正回路３７の各補正信号生成回路で生成される補正信号を示す。
【００２９】
図５（ａ）は、垂直グルーピング補正信号生成回路４１で生成される補正信号５１を示すもので、図に示すように垂直偏向周期の例えばパラボラ波形を有する。また、図５（ｂ）は、水平グルーピング補正信号生成回路４２で生成される補正信号５２を示すもので、水平周期の例えばパラボラ波形を有する。さらに、図５（ｃ）は、直流グルーピング補正信号生成回路４３で生成される補正信号５３を示すものであり、垂直グルーピング補正信号５１及び水平グルーピング補正信号５２と共に示されている。
【００３０】
図４に示す各グルーピング補正信号生成回路４１，４２，４３は、生成する補正信号の振幅、波形あるいはレベルを制御部３８の制御の下に調整することが可能である。すなわち、図５（ａ）（ｂ）に示す垂直及び水平グルーピング補正信号５１，５２については、それぞれパラボラ波形の振幅及び波形低レベル部分の時間軸方向の位置を調整することが可能であり、図５（ｃ）に示す直流グルーピング補正信号５３については、レベルを調整することが可能である。
【００３１】
実際のグルーピング補正作業は、制御回路３８により調整対象であるテレビジョン受信機をグルーピング調整モードに設定する。それによって、映像信号処理回路３２から白単色の映像信号がカラー陰極線管１０に供給される。
【００３２】
調整作業者は、画面を見て、まず、図５に示す各グルーピング補正信号のどれを適用するかを決定する。すなわち、画面中央部分の白表示品位が芳しくないと判断される場合は、垂直及び水平グルーピング補正信号は適用せずに、直流グルーピング補正信号のみを適用し、そのレベルを調整して白表示の品位が最良となるようにする。
【００３３】
また、画面の左右端部分での白表示品位が良好でないと判断される場合は、水平グルーピング補正信号のみを適用して、そのレベルを調整することで、白表示品位を最良のものにする。
【００３４】
さらに、画面の上下端部分での白表示品位が良好でないと判断される場合には、垂直グルーピング補正信号のみを適用して、そのレベルを調整することで白表示品位を最良のものにする。
【００３５】
さらに、表示画面の左右端部と上下端部で白表示品位が良好でないと判断されたら、垂直グルーピング補正信号と、水平グルーピング補正信号の両方を組合わせて適用し、それぞれのレベルを個々に調整することで白表示品位を最良のものにする。
【００３６】
なお、画面の上下左右端部と中央部分の白表示品位が芳しくない場合は、垂直及び水平グルーピング補正信号に加えて直流グルーピング補正信号も適用してそのレベルを調整してグルーピング補正をすることになるが、そのような現象は実質的に画面全体の白表示品位が芳しくないということであり、本来、グルーピング補正とは別の方策によって改善されるべきものであるが、グルーピング補正によって改善することが可能であれば、グルーピング補正を施しても一向に差し支えないものである。
【００３７】
グルーピング補正回路３７から供給される補正電流は、直列接続されたグルーピング補正巻線２０ａ，２０ｂを、図２に示すように流れ、その結果、巻線２０ａから、破線で示す方向の磁界２２ａが発生する。また、巻線２０ｂからは破線で示す方向の磁界２２ｂが発生する。それによって、電子ビームに対して矢印２３ａ、２３ｂに示す力が作用して、両側の電子ビームがそれぞれ中心に近付くように変移させられることになる。電子ビームに作用する力は、グルーピング補正巻線２０ａ，２０ｂを流れる電流の大きさに比例するようになる。
【００３８】
グルーピング巻線２０によって電子ビームの方向が変移され、蛍光体に対する照射位置ずれが修正される過程を図６を参照して説明する。図６は、電子銃から発射される電子ビームが蛍光体に到達するまでの過程を模式的に示すものである。なお、理解し易さを主眼において記述しているため、部分的に誇張して示しているところがあり、各部位の位置関係は実際のものとは必ずしも一致しない。
【００３９】
電子ビームは、グルーピング補正巻線２０による磁界の作用を受けない状態を実線６１で示し、グルーピング補正巻線２０による磁界の作用を受けた状態を破線６２で示している（なお、Ｇ電子ビームは、グルーピング補正巻線２０からの磁界の有無に係らず、位置を変移しないものとして共通に実線で示す）。
【００４０】
図６において、カラー陰極線管１０の表示面１１の内面に光３原色に対応した蛍光体１２が塗布され、この蛍光体１２に対向するように電子ビームが通過する開孔６３を有したシャドウマスク１３が配設されている。
【００４１】
一点鎖線６４で示す位置に偏向ヨーク１７が設けられており、電子銃１５からの電子ビームを偏向する。細かい破線６５で示す位置にグルーピング補正巻線２０が設けられており、さらに電子銃１５に側に寄った二点鎖線６６で示す位置にＰＣＭ１８が設けられている。
【００４２】
図６に示すように、電子銃１５から発射された３本の電子ビームの内、Ｒ，Ｂが、グルーピング補正巻線２０に流れる電流に基づいて発生される磁界２２ｓ，２２ｂによってそれぞれＧに近寄る方向に変移される。それによって、Ｒ，Ｂ電子ビームは、グルーピング補正巻線２０による影響を受けない状況に対して、Ｇ電子ビームから離れる方向に広がって偏向ヨーク１７に到達し、ここで偏向を受けて蛍光体１２に向かうが、その途中に存在するシャドウマスク１３の開孔６３で各電子ビーが交差するようになる。
【００４３】
その結果、実際に蛍光体１２に到達する電子ビームは、Ｇ電子ビームから離れる方向に広がった状態となり、グルーピング現象が修正されることになるものである。
【００４４】
調整モードが解除されて、映像信号処理回路３２から通常の映像信号がカラー陰極線管１０に供給されるような状態になっても、各グルーピング補正信号生成回路４１〜４３は、調整モードによって調整されたレベルの補正信号を出力する。
【００４５】
以上説明したように、本発明のグルーピング補正装置の第１の実施例によれば、グルーピング補正巻線２０に、垂直偏向周期に同期した垂直グルーピング補正信号、水平偏向周期に同期した水平グルーピング補正信号、及び直流グルーピング補正信号を、グルーピング現象の発生度合いに合せて、適用的に供給するようにしたので、グルーピング現象の発生を的確に抑制することができるようになるものである。
【００４６】
また、グルーピング現象は、電子ビームの量が多いと、より顕著に発生することが知られており、白単色の映像信号を画面表示させてグルーピング調整を行なうのも、白単色が輝度レベルが高いためである。しかしながら、電子ビームの量に応じて、グルーピング補正巻線２０に流れる補正信号を調整するように構成すれば、より適切なグルーピングの補正ができるものであり、そのように構成した実施例について次に説明する。
【実施例２】
【００４７】
図７は、図３に示す本発明の実施例１のブロック図に対して、映像信号処理回路３２から輝度信号を抽出してそのレベルを検出する輝度レベル検出回路７１を設け、この輝度レベル検出回路７１で検出した結果を制御回路７２に供給して、映像信号の輝度レベルに応じてグルーピング補正信号を生成するようにした点が異なる。
【００４８】
すなわち、輝度レベルが高いということは、それだけ電子ビームの量が多いということであり、輝度レベルに応じて、例えば、グルーピング補正信号のレベルを調整するように構成することで、より適切な補正を行なうことができるようになるものである。
【００４９】
この実施例でも、映像信号処理回路３２が制御回路７２によって調整モードに切換えられると、白単色の映像信号をカラー陰極線管１０に供給するように構成されており、調整を行なう作業者が、画面を見ながら、各グルーピング補正信号のレベルを調整する。
【００５０】
さらに、このとき、映像信号処理回路３２は、制御回路７２からの制御信号によって、出力する映像信号の輝度レベルを変更し、その変更によって表示映像がグルーピングの影響を受けていると判断された場合には、各グルーピング補正信号のいずれかあるいは複数のグルーピング信号のレベルを調整して画面表示品位が最良のものになるようにする。そして、映像信号の輝度レベルと、各グルーピング補正信号の調整レベルの関係を制御回路７２に含まれる記憶部に記憶させておく。
【００５１】
すなわち、映像信号の輝度レベルと、各グルーピング補正信号の調整レベルを、変換テーブルとして制御回路７２に記憶させておく。この変換テーブルは、映像信号の輝度レベルとグルーピング補正信号のレベルをリニアな関係とする必要はなく、例えば、輝度レベルに１個または２個程度の閾値を設定して、それを超えるレベルに対して、各グルーピング補正信号が所定のレベルに設定されるように構成することができるものである。
【００５２】
図８は、図７のグルーピング補正回路３７の内部の構成をさらに具体的に示した回路ブロック図である。すなわち、グルーピング補正回路３７は、図４に示す回路と同様に、垂直偏向回路３４からの鋸歯状波信号から垂直グルーピング補正信号を生成する垂直グルーピング補正信号生成回路８１と、水平偏向回路３５からの鋸歯状波信号から水平グルーピング補正信号を生成する水平グルーピング補正信号生成回路８２と、直流グルーピング補正信号を生成する直流グルーピング補正信号生成回路８３でなる。なお、図８において、端子８４は垂直同期信号の入力端子であり、端子８５は水平同期信号の入力端子である。
【００５３】
図８に示す、各グルーピング補正信号生成回路８１〜８３においても、図５と同様の補正信号を生成するもので、調整作業は、制御回路７２により調整対象であるテレビジョン受信機をグルーピング調整モードに設定する。それによって、映像信号処理回路３２から白単色の映像信号がカラー陰極線管１０に供給される。
【００５４】
調整作業者は、画面を見て、画面中央部分の白表示品位が芳しくないと判断される場合は、垂直及び水平グルーピング補正信号は適用せずに、直流グルーピング補正信号のみを適用し、そのレベルを調整して白表示の品位が最良となるようにする。
【００５５】
また、画面の左右端部分での白表示品位が良好でないと判断される場合は、水平グルーピング補正信号のみを適用して、そのレベルを調整することで、白表示品位を最良のものにする。
【００５６】
さらに、画面の上下端部分での白表示品位が良好でないと判断される場合には、垂直グルーピング補正信号のみを適用して、そのレベルを調整することで白表示品位を最良のものにする。
【００５７】
さらに、表示画面の左右端部と上下端部で白表示品位が良好でないと判断されたら、垂直グルーピング補正信号と、水平グルーピング補正信号の両方を組合わせて適用し、それぞれのレベルを個々に調整することで白表示品位を最良のものにする。
【００５８】
さらに、表示画面の左右端部と上下端部及び画面中央部で白表示品位が良好でないと判断されたら、垂直グルーピング補正信号と、水平グルーピング補正信号に加えて、直流グルーピング補正信号のレベルも調整する。
【００５９】
以上の処理によって、グルーピング補正を行なった後、映像信号処理回路３２から出力される映像信号の輝度レベルを上げて、表示品位が低下したと判断されたら、前述のようにその画面位置に応じてグルーピング補正信号を選択してそのレベルを調整し、最も表示品位が良好になったら、その調整の結果を制御回路７２に記憶させるものである。
【００６０】
この実施例においても、グルービング現象は、図６で説明したように、グルーピング補正巻線２０によって、Ｒ，Ｂ電子ビームがそれぞれＧ電子ビーに接近することにより、偏向ヨーク２７には逆にＲ，Ｂ電子ビームがＧ電子ビームに対して広がった状態で到達するようになる。そのため、シャドウマスク１３の開孔６３を、Ｒ，Ｂ電子ビームがＧ電子ビームに対して、大きな角度を持って通過するようになり、結果として蛍光体１２に、Ｒ，Ｂ電子ビームがＧ電子ビームから広がった状態で到達するようになり、グルーピング現象が抑制されるものである。
【００６１】
なお、当然ながら、この実施例においても、調整モードが解除されて、映像信号処理回路３２から通常の映像信号がカラー陰極線管１０に供給される状態になると、各グルーピング補正信号生成回路８１〜８３は、調整モードによって調整されたレベルの補正信号を出力する。
【００６２】
以上説明した第２の実施例によれば、映像信号の輝度レベルに対応させて、グルーピング補正信号のレベルを調整できるので、より的確にグルーピング現象を抑制することができるようになるものである。
【００６３】
この発明の、カラー陰極線管のグルーピング補正装置は、以上説明した形態に限定されるものではなく、その趣旨を変更しない範囲で種々実施可能である。
【図面の簡単な説明】
【００６４】
【図１】本発明に係るカラー陰極線管のグルーピング補正装置の要部を搭載したカラー陰極線管の一部断面側面図。
【図２】図１に示すカラー陰極線管をネック部側から見た図。
【図３】本発明に係るカラー陰極線管のグルーピング補正装置の一実施の形態を示す回路構成図。
【図４】図３に示す回路の要部を具体的に示す回路構成図。
【図５】図４に示す回路の各部で生成される信号の波形図。
【図６】本発明に係るカラー陰極線管のグルーピング補正装置の動作を説明するための構成図。
【図７】本発明に係るカラー陰極線管のグルーピング補正装置の他の実施の形態を示す回路構成図。
【図８】図７に示す回路の要部を具体的に示す回路構成図。
【図９】カラー陰極線管のグルーピング現象を説明するための構成図。
【符号の説明】
【００６５】
１０…カラー陰極線管
１１…映像表示面
１２…蛍光体
１３…シャドウマスク
１４…ネック部
１５…電子銃
１６…ファンネル部
１７…偏向ヨーク
１８…ピュリティ・コンバゼンス・マグネット（ＰＣＭ）
１９…スタティック・コンバゼンス調整用マグネット
２０…グルーピング補正用巻線
【図１】
2005079862.tif 000003
【図２】
2005079862.tif 000004
【図３】
2005079862.tif 000005
【図４】
2005079862.tif 000006
【図５】
2005079862.tif 000007
【図６】
2005079862.tif 000008
【図７】
2005079862.tif 000009
【図８】
2005079862.tif 000010
【図９】
2005079862.tif 000011